(57)【要約】【課題】扉の取付け位置の横移動調整と高さ調整と傾きの調整が、個別に正確且つ確実に行え、位置調整作業を円滑にする調整旗蝶番にする。【解決手段】可動旗材２の高さ調整は、工具を用いたナット９の回転操作により行なう。可動旗材２の横移動調整は、工具を用いた操作部６ｂの回転操作により行う。固定旗材７に対する偏心軸６の回転側の軸（下部軸６ｃ）の回転は、操作部６ｂと座付軸受け８との間で行われている凹凸係合によって仮係止されているが、操作部６ｂを回転操作すると凸部６ｄが係合を乗り越えて次の凹部８ｅに係合するため、可能である。【選択図】図７
2018076713.tif 000002
【特許請求の範囲】
【請求項１】
扉に装着される可動旗板部の片側上部に上筒部が設けられた可動旗材と、扉取付け枠に装着される固定旗板部の片側下部に下筒部が設けられた固定旗材とが、偏心した上軸部の下端部との間に工具操作用の操作部が設けられた偏心軸によって連結されて、前記可動旗材が前記上軸部を支点に開閉する旗蝶番であって、
座板部を上向きにした座付きねじ筒材が、前記下筒部の上部に回り止めされた状態で上下移動自在に支持され、前記下軸部が、前記座付きねじ筒材内に上方から挿入して、前記下筒部に上方移動自在に支持されており、
前記座付きねじ筒材の上面における該座付きねじ筒材の軸芯を半径とする円形線上に、複数個の凹部が間隔をおいて設けられ、前記凹部内に突入する凸部が、前記座付きねじ筒材の上面に接する前記操作部の下面に設けられて、
前記操作部の回転操作に伴う前記下軸部を中心にした前記偏心軸の回転方向の位置決めが、前記操作部の回転とともに移動する前記凸部と、この移動した位置にある前記凹部とによる凹凸係合により行われ、
前記偏心軸の上下方向の位置決めが、前記座付きねじ筒材に螺合され前記下筒部の上部に下受け支持されたナットの工具を用いた回転操作による前記座付きねじ筒材の上下移動により行われ、
前記下筒部に対する前記下軸部の回り止めが、前記各位置調整の後に前記下筒部内に螺入して該下軸部に圧接するビスにより行われる構成としたことを特徴とする調整旗蝶番。
【請求項２】
前記座付きねじ筒材の前記下筒部に対する回り止めと、前記下筒部内において前記下軸部の支持をする座付き筒材が、前記下筒部の上部から筒内に向けて取付けられている、請求項１に記載の調整旗蝶番。
【請求項３】
前記軸回り止め部材は、前記下軸部の長さ途中箇所から下端部に向けて設けられたセレーション外周面又はスプライン外周面に凹凸嵌合する内周面を有するセレーション筒材又はスプライン筒材と、
前記下筒部内に設けたねじ孔に螺入して前記セレーション筒材又はスプライン筒材を押圧し該セレーション筒材又はスプライン筒材の回り止めをするビス又はボルト、の２部材で構成されている、請求項１又は２に記載の調整旗蝶番。
【請求項４】
扉に装着される可動旗板部の片側上部に上筒部が設けられた可動旗材と、扉取付け枠に装着される固定旗板部の片側下部に下筒部が設けられた固定旗材とが、偏心した上軸部の下端部との間に工具操作用の操作部が設けられた偏心軸によって連結されて、前記可動旗材が前記下軸部を支点に開閉する旗蝶番であって、
前記上筒部は、座板部を下向きにした状態で前記上筒部の下部に回り止めされ上下移動自在に支持された座付きねじ筒材を介して前記上軸に回転自在に支持され、前記下軸部が前記下筒部内に上方移動自在に支持されており、
前記座付きねじ筒材の上面における該座付きねじ筒材の軸芯を半径とする円形線上に、複数個の凹部が間隔をおいて設けられ、前記凹部内に突入する凸部が、前記座付きねじ筒材の上面に接する前記操作部の下面に設けられており、
前記操作部の回転操作に伴う前記下軸部を中心にした前記偏心軸の回転方向の位置決めが、前記操作部の回転とともに移動する前記凸部と、この移動した位置にある前記凹部とによる凹凸係合によりで行われ、
前記偏心軸の上下方向の位置決めが、前記座付きねじ筒材に螺合され前記下筒部の上部に下受け支持されたナットの工具を用いた回転操作による上下移動により行われ、
前記下筒部に対する前記下軸部の回り止めが、前記各位置調整の後に前記下筒部内に螺入して該下軸部に圧接するビスにより行われる構成としたことを特徴とする調整旗蝶番。
【請求項５】
前記上筒部の下部に、記座付きねじ筒材の前記上筒部に対する回り止めと、前記上筒部内における前記上軸部の支持をする座付き筒材が取付けられている、請求項４に記載の調整旗蝶番。
【請求項６】
前記軸回り止め部材は、前記上軸部の長さ途中箇所から上端部に向けて設けられたセレーション外周面又はスプライン外周面に凹凸嵌合する内周面を有するセレーション筒材又はスプライン筒材と、
前記上筒部に設けたねじ孔に螺入して前記セレーション筒材又はスプライン筒材を押圧し該セレーション筒材又はスプライン筒材の回り止めをするビス又はボルト、の２部材で構成されている、請求項１又は２に記載の調整旗蝶番。
【発明の詳細な説明】
【技術分野】
【０００１】
本発明は、扉の取付け位置の横移動調整と高さ調整と傾きの調整が、個別に正確且つ確実に行え、これらの位置調整作業を円滑にする調整旗蝶番に関する。
【背景技術】
【０００２】
片支持タイプの扉の取付けにおいて、固定側旗材に対する可動側旗材の横方向の位置調整と高さ調整が個別に行える調整蝶番を用いると、扉に取付けたまま、扉の位置調整が行える。この種の蝶番が特許文献１に開示されている。
【先行技術文献】
【特許文献】
【０００３】
【特許文献１】特開２００００−３４８５２公報
【発明の概要】
【発明が解決しようとする課題】
【０００４】
特許文献１による蝶番は、扉の位置変化に対応する係合部２７の回転操作量を、蝶番側で位置決めして確認する機能を備えていない。このため、扉の位置や向きを何度も見ながら、係合部２７の回転の修正をすることが予想される。扉の位置調整のために必要な係合部２７の回転操作量は僅かである。
【０００５】
また、この蝶番は、ボルト１４の先端部で枢軸部材３を下支えしている。このため、可動側部材４の高さ調整をするときに、枢軸部材３が基軸部２５を軸芯にして回転し易い。この結果。高さ調整後に可動側部材４の横移動の再調整をしなければならない煩わしさがある。
【０００６】
本発明が解決しようとする課題は、扉の取付け位置の横移動調整と高さ調整と傾きの調整が、個別に正確且つ確実に行え、これらの位置調整作業を円滑にする調整旗蝶番を提供することにある。
【課題を解決するための手段】
【０００７】
請求項１に係る調整旗蝶番は次の構成を備える。
（１）扉に装着される可動旗板部の片側上部に上筒部が設けられた可動旗材と、扉取付け枠に装着される固定旗板部の片側下部に下筒部が設けられた固定旗材とが、偏心した上軸部の下端部との間に工具操作用の操作部が設けられた偏心軸によって連結されて、前記可動旗材が前記上軸部を支点に開閉する旗蝶番である。
（２）座板部を上向きにした座付きねじ筒材が、前記下筒部の上部に回り止めされた状態で上下移動自在に支持され、前記下軸部が、前記座付きねじ筒材内に上方から挿入して、前記下筒部に上方移動自在に支持されている。
（３）記座付きねじ筒材の上面における該座付きねじ筒材の軸芯を半径とする円形線上に、複数個の凹部が間隔をおいて設けられ、前記凹部内に突入する凸部が、前記座付きねじ筒材の上面に接する前記操作部の下面に設けられている。
（４）前記操作部の回転操作に伴う前記下軸部を中心にした前記偏心軸の回転方向の位置決めが、前記操作部の回転とともに移動する前記凸部と、この移動した位置にある前記凹部とによる凹凸係合により行われる。
（５）、前記偏心軸の上下方向の位置決めが、前記座付きねじ筒材に螺合され前記下筒部の上部に下受け支持されたナットの工具を用いた回転操作による前記座付きねじ筒材の上下移動により行われる。
（６）前記下筒部に対する前記下軸部の回り止めが、前記各位置調整の後に前記下筒部内に螺入して該下軸部に圧接するビスにより行われる。
【０００８】
請求項２に係る調整旗蝶番は次の構成を備える。
（１）請求項１に記載の各構成を備える。
（２）前記下筒部の上部に、記座付きねじ筒材の前記下筒部に対する回り止めと、前記下筒部内における前記下軸部の支持をする座付き筒材が取付けられている。
【０００９】
請求項３に係る調整旗蝶番は次の構成を備える。
（１）請求項１又は２に記載の各構成を備える。
（２）前記下筒部内に設けたねじ孔に螺入して前記セレーション筒材又はスプライン筒材を押圧し該セレーション筒材又はスプライン筒材の回り止めをするビス又はボルト、の２部材で構成されている。
【００１０】
請求項４に係る調整旗蝶番は次の構成を備える。
（１）扉に装着される可動旗板部の片側上部に上筒部が設けられた可動旗材と、扉取付け枠に装着される固定旗板部の片側下部に下筒部が設けられた固定旗材とが、偏心した上軸部の下端部との間に工具操作用の操作部が設けられた偏心軸によって連結されて、前記可動旗材が前記下軸部を支点に開閉する旗蝶番である。
（２）前記上筒部は、座板部を下向きにした状態で前記上筒部の下部に回り止めされ上下移動自在に支持された座付きねじ筒材を介して前記上軸に回転自在に支持され、前記下軸部が前記下筒部内に上方移動自在に支持されている。
（３）前記座付きねじ筒材の上面における該座付きねじ筒材の軸芯を半径とする円形線上に、複数個の凹部が間隔をおいて設けられ、前記凹部内に突入する凸部が、前記座付きねじ筒材の上面に接する前記操作部の下面に設けられている。
（４）前記操作部の回転操作に伴う前記下軸部を中心にした前記偏心軸の回転方向の位置決めが、前記操作部の回転とともに移動する前記凸部と、この移動した位置にある前記凹部とによる凹凸係合によりで行われる。
（５）前記偏心軸の上下方向の位置決めが、前記座付きねじ筒材に螺合され前記下筒部の上部に下受け支持されたナットの工具を用いた回転操作による上下移動により行われる。
（６）前記下筒部に対する前記下軸部の回り止めが、前記各位置調整の後に前記下筒部内に螺入して該下軸部に圧接するビスにより行われる。
【００１１】
請求項５に係る調整旗蝶番は次の構成を備える。
（１）請求項４に記載の各構成を備える。
（２）前記上筒部の下部に、記座付きねじ筒材の前記上筒部に対する回り止めと、前記上筒部内における前記上軸部の支持をする座付き筒材が取付けられている。
【００１２】
請求項６に係る調整旗蝶番は次の構成を備える。
（１）請求項４又は５に記載の各構成を備える。
（２）前記軸回り止め部材は、前記上軸部の長さ途中箇所から上端部に向けて設けられたセレーション外周面又はスプライン外周面に凹凸嵌合する内周面を有するセレーション筒材又はスプライン筒材と、
前記上筒部に設けたねじ孔に螺入して前記セレーション筒材又はスプライン筒材を押圧し該セレーション筒材又はスプライン筒材の回り止めをするビス又はボルト、の２部材で構成されている。
【００１３】
請求項１、２、３に記載の調整旗蝶番においては、可動旗材が上軸部を支点にして開閉する。下軸部は各位置の調整を終えるまで軸回転が可能であるが、前記凹凸係合がこの回転を仮係止している。
扉の横移動調整は、工具を用いて偏心軸の操作部を強く回転操作して行う。この回転操作に伴って前記凹凸係合をしている凸部が凹部を乗り越えて下軸部を回転させる。下軸部と上軸部とは偏心（オフセット）した位置関係にあり、下軸部の回転に伴って上軸部は位置変化する。
下軸部の回転に伴って凹部を乗り越えた凸部が次の凹部に落ち込むと、回転時に凸部によって浮き上がっていた操作部が下受け位置に当接する。このときに発生する当接音と、工具を通じて作業者の手に加わる感触とによって、回転の位置決めがされたことを知ることができる。可動旗材は、位置変化した上軸部を中心に開閉するため、扉の閉じ位置の横移動調整がされたことになる。
扉には上下２個所の調整旗蝶番が取付けられている。このため、下位置の調整旗蝶番を横移動調整するだけで、或いは上下の位置の調整旗蝶番を相反する横方向に位置調整すると、扉の傾きの調整が行える。凹凸係合の位置の変化と扉の位置調整量との関係を予め設定しておくと、扉の位置調整作業が迅速且つ円滑に行える。
工具を用いてナットを一方向に操作すると、ナットが座付きねじ筒材を押し上げて、偏心軸とともに扉を上方に移動させる。ナットを反対方向に操作すると、扉は下方移動する。これらの調整を終えた後、軸回り止め部材を用いて下軸部の回転が出来ないようにする。
【００１４】
請求項３に記載の調整旗蝶番は、下軸部の回り止めが下筒部の下方から下筒部内に挿入して回り止めされたセレーション筒材又はスプライン筒材と下軸部との係合により行われている。扉の横移動調整時と傾きの調整時には、下筒部に対するセレーション筒材又はスプライン筒材の回り止めを解除させて行う。扉の横移動調整と傾きの調整を終えると、一旦、セレーション筒材又はスプライン筒材を下方移動させて、上記係合を解除する。この後、セレーション筒材又はスプライン筒材を上記回り止めに適した向きに戻して、再びこの回り止めをする。
セレーション筒材又はスプライン筒材を用いた下軸部の回り止めは、下軸部を傷付けることがなく、下軸部に孔を設ける必要がない。このため、扉の位置の再調整が支障なく行える。また、下軸部を上方移動自在な状態にするため、ナットの回転操作をするだけで、扉の高さ調整が行える。
【００１５】
請求項４に記載の調整旗蝶番は、請求項１に記載の調整旗蝶番を上下に反転させた構造を有する。請求項５に記載の調整旗蝶番は、請求項２に記載の調整旗蝶番を上下に反転させた構造を有する。請求項６に記載の調整旗蝶番は、請求項３に記載の調整旗蝶番を上下に反転させた構造を有する。
このため、請求項４，５，６に記載の調整旗蝶番においては、扉を取付けた可動旗材が偏心軸とともに下軸部を支点にして開閉する。ナットを一方向に回転操作すると、ナットは座付きねじ筒材のねじ筒部に沿って上方に移動し、上筒部の下端部に取付けられている座付き筒材を上方に押し上げ、可動旗材と扉を上方移動させる。
請求項６に記載のセレーション筒材又はスプライン筒材と上軸部とによる係合の一時的に解除は、上筒部内のセレーション筒材又はスプライン筒材を上方移動させる。
請求項３，６に記載のセレーション筒材又はスプライン筒材は、一時的な抜き方向の操作をし易くするため、下筒部及び上筒部の開口端部に届く長さ、或いは、下筒部及び上筒部の開口端部から突出する長さにすることが望まれる。
【発明の効果】
【００１６】
本発明に係る調整旗蝶番は、固定側にある前記座付きねじ筒材と回転側になる前記操作部とを凹凸係合する箇所を設けたことによって、前記偏心軸の回転位置の位置決めをした扉の取付け位置の横移動調整が出来、ナットの回転操作によって、前記可動旗部材を下受けした前記偏心軸の高さ調整が出来る。この結果、扉の正確な位置決めが、円滑に行える。前記偏心軸を固定旗材の下筒部の上で下支えしているため、可動旗材を安定して支持させることができ、高さ調整をした際に偏心軸を連れ回りさせない。
【発明を実施するための形態】
【００１７】
本発明の実施の形態は、第１〜第４の実施形態がある。
第１実施形態の調整旗蝶番を上下に反転させたものが第３実施形態の調整旗蝶番である。
第２実施形態の調整旗蝶番を上下に反転させたものが第４実施形態の調整旗蝶番である。
第１実施形態の調整旗蝶番は、請求項１、特に２に対応する。
第２実施形態の調整旗蝶番は、請求項３に対応する。
第３実施形態の調整旗蝶番は、請求項４、特に５に対応する。
第４実施形態の調整旗蝶番は、請求項６に対応する、
以下、各実施形態について図面に沿って説明する。
【図面の簡単な説明】
【００１８】
【図１】（ａ）は第１実施形態の調整旗蝶番を用いた扉の支持構造を示した平面断面図、（ｂ）は同じく正面図。
【図２】（ａ）はこの調整旗蝶番の正面図、（ｂ）は同じく正面断面図。
【図３】この調整旗蝶番の分解斜視図。
【図４】（ａ）は偏心軸の底面図、（ｂ）は座付きねじ筒材の平面図、（ｃ）は環状溝内の展開断面図、（ｄ）は凹凸係合箇所の断面図。
【図５】この調整旗蝶番の位置調整直前の状態を示した図。
【図６】この調整旗蝶番において、（ａ）は可動旗材の横調整がされていない状態を示した拡大平面断面図、（ｂ）は可動旗材が左側に僅かに位置調整された状態を示した拡大平面断面図。
【図７】この調整旗蝶番において、（ａ）は可動旗材が右側に最大調整された状態を示した正面断面図、（ｂ）はその詳細平面断面図。
【図８】この調整旗蝶番において、（ａ）は可動旗材が左側に最大調整された状態を示した正面断面図、（ｂ）はその詳細平面断面図。
【図９】この調整旗蝶番において、可動旗材の高さ調整がされた状態を示した正面断面図。
【図１０】（ａ）は第２実施形態の調整旗蝶番を示した正面断面図、（ｂ）はこの調整旗蝶番が備える偏心軸とセレーション筒材を示した斜視図、（ｃ）はセレーション係合箇所の平面切断部端面図、（ｄ）はセレーション筒の回り止め箇所の平面切断部端面図。
【図１１】（ａ）は第３実施形態の調整旗蝶番の正面図、（ｂ）は開閉回動側の組構造を示した正面断面図。同じく正面断面図。
【図１２】第３実施形態の調整旗蝶番を横移動調整後の状態で示した正面図、
【図１３】同じく高さ調整後の状態で示した正面図。
【図１４】（ａ）は第４実施形態の調整旗蝶番を示した正面断面図、（ｂ）はこの調整旗蝶番が備える偏心軸とセレーション筒材を示した斜視図、（ｃ）はセレーション筒材の回り止め箇所の平面切断部端面図、（ｄ）はセレーション係合箇所の平面切断部端面図。
【実施例】
【００１９】
［扉１００の位置調整の概要］
図１（ａ）（ｂ）に示すように、本発明に係る調整旗蝶番調整１は、扉１００を扉取付け枠２００に取付けたまま、扉１００の横移動調整と高さ調整が行える。この横移動調整は、扉１００の傾きの調整も可能にする。
【００２０】
［第１実施形態の調整旗蝶番１Ａの概要］
図２（ａ）（ｂ）、図３に示すように、第１実施形態の調整旗蝶番１Ａは、右側に位置する可動旗材２と、左側に位置する固定旗材７とを備えた右開き扉用の平蝶番である。旗は羽根とも呼ばれる。本発明は左開き扉用の調整旗蝶番も含む。左開き扉用の調整旗蝶番の場合には、左右逆向きの可動旗材２と固定旗材７が用いられる。他の部品は右開き扉用の部品と共通する。
以下、右開き扉用の調整旗蝶番１の各構成部材と支持構造について説明する。
【００２１】
［可動旗材２と固定旗材７］
図２（ｂ）、図３に示すように、可動旗材２は、扉に装着する面になる可動旗板２ａの片縁上部に上筒部２ｂが設けられた金属厚板加工品である。固定旗材７は、扉取付け枠に装着する面になる固定旗板７ａの片縁下部に下筒部７ｂが設けられた金属厚板加工品である。可動旗材２と固定旗材７は、向きが異なるが同形状である。
可動旗材２と固定旗材７は、上側筒部２ｂと下側筒部７ｂとが上下に並ぶ向きで、偏心軸６を介して開閉回動自在に連結されている。扉の開閉の際には、可動旗材２が下軸部６ｃを軸芯にして開閉する。
【００２２】
〔偏心軸６〕
図２（ｂ）、図３に示すように、偏心軸６は、上軸部６ａと操作部６ｂと下軸部６ｃとを備えた上下対称形状の金属一体成形品である。
上軸部６ａは、可動旗材２を軸回転自在に支持する部分であり、操作部６ｂ上面の中心から外れた箇所において、上方に向けて設けられている。下軸部６ｃは、可動旗材２を支持した偏心軸６を固定旗材７の下筒部７ｂに支持する部分であり、上軸部６ａと反対方向に偏心した箇所から下方に向けて設けられている。上軸部６ａと下軸部６ｃの太さは、上筒部２ｂ及び下筒部７ｂの内径よりも小径である。
操作部６ｂは、下軸部６ｃを中心にして偏心軸６を回転操作をする部分であり、汎用のスパナ工具で操作が可能なボルト頭に似た厚肉六角形状を有する。図示していないが、厚肉円形状を有し、その外周面の外周方向に間隔を置いた箇所に、偏心軸６を回転操作する太軸ドライバー工具の先端部突入穴が設けられた操作部にしてもよい。
【００２３】
図４（ａ）（ｄ）に示すように、操作部６ｂ下面の下軸部６ｃから離れた個所に、略半球形状を有する小さな凸部６ｄが設けられている。凸部６ｄは、下軸部６ｃを軸芯にした偏心軸６の回転操作の際に、この回転の位置決めをする。
【００２４】
〔固定側の座付き筒材１０〕
図３を参照しつつ図２（ｂ）に示すように、下筒部７ｂの上部には、固定側の座の１形態である座付き筒材１０が、筒軸芯を中心にした回り止めされた状態で支持されている。座付き筒材１０は、後述する座付きねじ筒材８を回り止め状態で上方移動自在に保持し、ナット９を下受け支持する。
【００２５】
図３に示すように、座付き筒材１０は、中央部に開口部１０ｂが設けられた厚肉円形状の座部１０ａと、座部１０ａの下面中央から下方に向けて長く突出した筒部１０ｃとを有する金属一体形成品である。
座部１０ａは、下筒部７ｂの外径よりも大径である。開口部１０ｂは、各３個所の大径円弧部分と小径円弧部分とを交互に組み合わせた凹凸のある形状である。小径円弧部分と筒部１０ｃの内径は、下軸部６ｃが略密接して挿入し得る大きさがある。筒部１０ｂの上部には、上記大径円弧部分が下方に続く３個所の窓１０ｅ，・・が開設されている。座部１０ａの下部側縁には、固定旗板部７ａの中段位置にある縁部７ｄが突入する切欠き部１０ｄが設けられている。１０ｆはビス挿通孔である。
【００２６】
〔座付き筒材１０の支持構造〕
図２（ｂ）、図３に示すように、座付き筒材１０は、筒部１０ｃが下筒部７ｂ内に上方から突入し、座部１０ａが下筒部７ｃの上縁部を被い、切欠き部１０ｄが縁部７ｄに噛み合った状態となって、下筒部７ｂの上部に回り止めされ且つ容易に抜け外れない状態で取付けられている。
【００２７】
〔座付きねじ筒材８〕
図２（ｂ）、図３に示すように、座付き筒材１０には、偏心軸６を下受け支持する座付きねじ筒材８が回り止めされ上方移動自在に支持されている。
座付きねじ筒材８は、円形フランジ形状の座板部８ａと、座板部８ａの下面から下方に突出したねじ筒部８ｂと、ねじ筒部８ｂの下縁部から下方に突出した３本の脚部８ｃ・・とが設けられた金属一体形成品である。
ねじ筒部８ｃは、座板部８ｂの開口部８ａと同径の内径を有し、外周面にナット９を螺嵌するねじ溝が形成された、ナット９の高さと同じ又は若干低い形状と大きさがある。
３本の脚部８ｄ・・は、座付き筒材１０の座部１０ａにある大径円弧部分の内側から、座付き筒材１０の筒部１０ｂにある窓１０ｅ，・・内に深く入る長さがある円弧形状の側板部で形成されている。
【００２８】
図３、図４（ｂ）（ｃ）に示すように、座板部８ａの中央には、偏心軸６の下軸部６ｃが略密接状態で突入する大きさの開口部８ｄが形成されている。座板部８ａの上面には、座板部８ａの中心を半径とする周回方向の箇所には、操作部６ｂの下面から突出する凸部６ｄの移動を案内する浅い環状低段部８ｆが形成されている。環状低段部８ｆの周方向に間隔を設けた複数個所には、凸部６ｄを突入させる略半球形状の凹部８ｅ・・・が形成されている。
【００２９】
〔座付きねじ筒材８の支持構造〕
図２（ｂ）、図３に示すように、座付きねじ筒材８は、ねじ筒部８ｃにナット９を螺嵌させた状態で、脚部８ｄ・・が座付き筒材１０の開口部１０ｂ内の大径円弧部分から窓１０ｅ，・・内に突入して、座付き筒材１０に回り止めされて上方移動自在に支持されている。
ナット９は、座付き筒材１０の座部１０ａの上に位置し、座付きねじ筒材８の下方移動を規制している。ナット９を一方向に回転操作すると、座付きねじ筒材８を回り止めした状態で押し上げる。
座付きねじ筒材８の回り止めは、後述する位置調整の後で行われるビス留めによって一層強化される。このビス留めがされると、座付きねじ筒材８と偏心軸６の上下移動と偏心軸６の回転は不可能になる。
【００３０】
〔偏心軸６の支持構造〕
図２（ｂ）、図３に示すように、偏心軸６は、下軸部６ｃが下筒部７ｂに保持された座付きねじ筒材８内から固定座付き筒材１０の筒部１０ｂ内に上方から突入して、下筒部７ｂに上方移動と回転が自在な状態で支持されている。
【００３１】
［可動旗材２の支持構造］
図２（ｂ）、図３に示すように、可動旗材２は、上筒部２ｂの下部に取付けられている可動側の座の１形態である座付き筒材５を介して、上軸部６ａに円滑回転自在に支持されている。座付き筒材５の座部５ａは、上筒部２ｂの下縁部と操作部６ｂの上面との間に位置し、上筒部２ｂを安定姿勢で操作部６ｂの上面に下受けさせている。
可動側の座は、座付き筒材５に限定されず、平ワッシャーの如き形状の座であっても構わない。この座を使用した場合には、上筒部２ｂ内に上軸部６ａを支持する筒部材を挿入させて上筒部２ｂの支持を安定させ、円滑回転させる。
【００３２】
〔上カバー３と下カバー１３〕
図２（ａ）（ｂ）に示すように、上カバー３は、上筒部２ｂの上方から被せられて、上筒部２ｂと操作部ｂとナット９を隠す。上カバー３の側面には、可動旗板部２ａの上側部が突入するスリット３ａがある。上カバー３の上端開口部は、キャップ４で覆われている。
下カバー１３は、下筒部７ｂを隠す。下カバー１３の側面には、固定旗板部７ａの下側部が突入するスリット１３ａがある。下部カバー１３の下端開口部は、キャップ１４で覆われている。
座付き筒材１０の座部１０ａにおける外周面は段付形状になっておいる。上カバー３の下縁部がこの座部１０ａの上部に嵌合支持されて、上カバー３が位置決めされている。下カバー１３も同様である。
【００３３】
［操作部６ｂとナット９の操作］
図５に示すように、可動旗材２の位置調整は、上カバー３と下カバー１３が抜き外した状態、或いは取付ける前の状態であって、軸回り止め用のビス１１が装着されていない状態で行われる。１１が装着されていないと、偏心軸６は下軸部６ｃを中心に回転自在な状態にある。
可動旗材２及び扉１００の横移動調整をする場合と、傾きの調整をする場合には、スパナ工具を用いて操作部６ｂを回転操作して行う。扉２００を支持している上下２個の調整旗蝶番１，１のうちの１個の横移動調整をすると、傾きの調整が行える。可動旗材２及び扉１００の高さ調整をする場合には、スパナ工具を用いてナット９を回転操作して行う。
【００３４】
［操作部６ｂの操作による可動旗材２の横移動調整］
図５に示す扉の横移動調整に必要な操作部６ｂの回転は、僅かの角度で済む。このため、扉１００の取付け作業者が、取付説明書やシール書き等によって、操作部６ｂの回転角と、扉の横移動調整量及び傾きの調整量との関係の情報を予め知り、操作部６ｂの操作の際に回転角の位置決めを確認する方法を知っておくと、扉の位置調整作業が迅速且つ正確に行える。
【００３５】
［凹凸係合］
本発明の全ての実施形態の偏心旗蝶番１においては、操作部６ｂと座付きねじ筒材８の当接面に凹凸係合箇所が設けられている。
第１実施形態の偏心旗蝶番１Ａの場合には、図４（ａ）（ｂ）（ｄ）に示すように、この凹凸係合が、操作部６ｂの下面に設けられた凸部６ｄと、座付きねじ筒材８の座板部８ａの上面において座板部８ａの中心を半径とする円周方向に間隔を設けて並ぶ複数個の凹部８ｅ・・のうちの選択した１個とによって行われる。
扉の取付け作業者は、凸部６ｄが１つ隣の凹部８ｅ内に落ち込む小さな衝撃感と音によって、可動旗材２と扉が横方向に例えば３ｍｍ横移動したのか、例えば５°傾斜したのかが判る。凸部６ｄが凹部８ｅを乗り越えるときには抵抗があるため、凹凸係合の位置ズレは生じない。
【００３６】
［操作部６ｂの操作による可動旗材２の横移動調整］
図６（ａ）は、可動旗材２の横移動調整がされていない状態が示されている。この状態では、固定旗板部７ａと、閉じた可動旗板部２ａとの間に基準となる間隔Ｓ１があり、上軸部６ａと下軸部６ｃとは、前後に揃った位置にある。凹凸係合は、凸部６ｄが凹部８ｅ２内に突入した個所でされている。可動旗材２は、移動した上軸部６ａを中心にして開閉する。
【００３７】
図６（ｂ）に示すように、操作部６ｂを下軸部に６ｃを中心にして回転操作して、凸部６ｄを凹部８ｅ２内に係合させると、上軸部６ａは下軸部６ｃから左斜め前方に偏心した位置に移動する。この位置の上軸部６ａを中心にして回転して閉じた可動旗板２ａと固定旗板部７ａとの間の間隔Ｓ２は、図６（ａ）に示す基準間隔Ｓ１よりも狭くなる。つまり、可動旗板部２ａが基準間隔Ｓ１よりも左側に位置調整されている。
【００３８】
図７（ａ）（ｂ）に示すように、凸部６ｄが凹部８ｅ１３内に係合する位置まで操作部６ｂを回転させると、閉じた可動旗板２ａと固定旗板部７ａとの間隔Ｓ３は、最大になる。つまり、可動旗板部２ａが最大幅で左側に位置調整されている。
【００３９】
図８（ａ）（ｂ）に示すように、凸部６ｄが凹部８ｅ１３内に係合する位置まで操作部６ｂを回転させると、閉じた可動旗板２ａと固定旗板部７ａとの間隔Ｓ３は、最も狭くなる。つまり、可動旗板部２ａが最大幅で右側に位置調整されている。
【００４０】
［ナット９の操作による可動旗材２の高さ調整］
図２（ｂ）は固定旗材７に対する可動旗材２の高さ調整がされていない状態、或いは可動旗材２の高さ調整が最下位に調整されている状態が示され、図９は可動旗材２の高さ調整が中段位置に調整されている状態が示されている。
扉の高さ調整になる可動旗材２の高さ調整は、スパナ工具を用いて操作部６ｂを回転操作して行う。
図２（ｂ）に示す座板部８ａの位置は、ナット９の上面に接した最も低い位置にある。可動旗材２を支持した偏心軸６は、この位置にある座板部８ａによって下受け支持されている。
図９に示す座板部８ａの位置は、ナット９の回転操作によって座付きねじ筒材８が押し上げられた位置にある。偏心軸６は、この位置にある座板部８ａによって高い位置で下受け支持されている。
以上のように、偏心軸６に支持された扉は、ナット９の回転操作にっよって上下高さ調整がされる。
【００４１】
［位置調整後における下軸部の回り止め］
以上に述べた横移動調整、高さ調整を終えた後、下軸部７ｂに設けられているビス孔７ｃから下軸部６ｃ内に向けてビス１１を螺入して、下軸部６ｃを強く押圧して、下軸部６ｃの回り止めと上下移動の係止をさせる。
【００４２】
〔第２実施形態の調整旗蝶番１Ｂ〕
図１０（ａ）に示す第２実施形態の偏心旗蝶番１Ｂは、下軸部６ｃの回り止め構造が図２（ａ）（ｂ）等で示す偏心旗蝶番１Ａと異なる。このため、第２実施形態の偏心旗蝶番１Ｂにおけるは下軸部６ｃの回り止め構造について説明する。
図１０（ａ）（ｂ）（ｃ）に示すように、第２実施形態の偏心旗蝶番１Ｂは、下軸部６ｃと、下筒部７ｂ内に下方から挿入した軸回り止め筒材の１形態であるセレーション筒材１７とが、セレーション係合されている。
図１０（ａ）（ｄ）に示すように、セレーション筒材１７は、下筒部７ｂに設けられているねじ孔７ｄから螺入したビス１６によって強く押し付けられて、回り止めがされ上下方向の移動が阻止されている。
【００４３】
上記セレーション係合を可能にするため、図１０（ａ）（ｂ）に示すように、下軸部６ｃの長さ途中部から先端部（下端部）に向けた部分は、セレーション外周部６ｅになっている。
セレーション筒材１７は、下筒部７ｂの上下高さの半分を超える長さがあり、下筒部７ｂ内に密接に近い状態で挿入し得る径がある円滑な外周面と、筒内周面にセレーション溝が設けられたセレーション孔を有する。
下軸部６ｃとセレーション筒材１７とビス１６とを組み合わせた下軸部６ｃの回り止め構造にすると、下軸部６ｃをビス止めしないため、構造上、偏心軸６の上方移動が自由な状態にある。このため、扉の高さの再調整がナット９の操作だけで偏心軸６を上方移動させて行える。
扉の横移動の調整は、ビス１６の締め付けを緩めて、操作部６ｂを回転操作する。このときセレーション筒材１７も連れ周りする。この調整後、ビス１６を締め付けてセレーション筒材１７の回り止めをする。セレーション筒材１７よりも凹凸数が少ないスプライン筒材を使用し、下軸部にスプライン外周部を設けたスプライン係合によって、下軸部６ｃの回り止めをしてもよい。
【００４４】
〔第３実施形態の調整旗蝶番１Ｃ〕
図１１（ａ）、図１２、図１３に示す第３実施形態の調整旗蝶番１Ｃは、図２〜図９に示す第１実施形態の調整旗蝶番１Ａを上下に反転させた調整旗蝶番である。
第３実施形態の調整旗蝶番１Ｃは、可動旗材２が下部軸６ｃを中心にして開閉する。図１１（ｂ）において、開閉回動側の組構造を解り易く示した。
【００４５】
図１２に示すように、第３実施形態の調整旗蝶番１Ｃにおいては、可動旗材２を横移動させたときに、座付き筒材１０と上カバー３と下カバー１３も横移動する。
【００４６】
〔第４実施形態の調整旗蝶番１Ｄ〕
図１４に示す第２実施形態の偏心旗蝶番１Ｄは、上軸部６ａの回り止め構造が図１１（ａ）、図１２、図１３に示す偏心旗蝶番１Ｃと異なる。偏心旗蝶番１Ｄの回り止め構造は、図１０（ａ）に示す第２実施形態の偏心旗蝶番１Ｂと上下の向きを逆向きにした構造になる。
【００４７】
図１４（ａ）（ｃ）に示すように、セレーション筒材１７は、上筒部２ｂに設けられているねじ孔２ｄから螺入したビス１６によって回り止めと上下方向の移動阻止がされている。
図１４（ａ）（ｂ）に示すように、上軸部６ａの長さ途中部から上端部には、セレーション筒材１７に係合するセレーション外周部６ｅが形成されている。
この調整旗蝶番１Ｄは、上軸部６ａをビス止めしないため、可動旗材２の上方移動が構造上、自由な状態にある。工具を用いたナット９の回転操作によってナット９が上方に移動して、可動旗材２を持ち上げる。この実施形態による係合も、第３実施形態と同様にスプライン係合にしてもよい。
【００４８】
第２〜第４実施形態の調整旗蝶番も、図６（ａ）（ｂ），図７（ｂ）、
図８（ｂ）と同様の凹凸係合により、可動旗材２は横移動する。
【産業上の利用可能性】
【００４９】
本発明に係る調整旗蝶番は、玄関用の扉（玄関ドア）、建物内の防火用扉、門扉（もんぴ）等の取付けにおいて使用される蝶番であり、建築の分野において利用価値がある。
【符号の説明】
【００５０】
１      調整旗蝶番
１Ａ    第１実施形態の調整旗蝶番
１Ｂ    第２実施形態の調整旗蝶番
１Ｃ    第３実施形態の調整旗蝶番
１Ｄ    第１実施形態の調整旗蝶番
２      可動旗材
２ａ    可動旗板部
２ｂ    上筒部
３      上カバー
４      キャップ
５      座付き筒材
５ａ    座板部
５ｂ    開口部
５ｃ    筒部
６      偏心軸
６ａ    上軸部
６ｂ    操作
６ｃ    下軸部
６ｄ    凸部
６ｅ    スプライン外周部
７      固定旗材
７ａ    固定側旗板部
７ｂ    下側筒部
７ｃ    ねじ孔
８      座付きねじ筒材
８ａ    座板部
８ｂ    ねじ筒部
８ｃ    脚部
８ｄ    開口部
８ｆ    環状溝
８ｅ    凹部
９      ナット
１０      座付き筒材
１０ａ    座部
１０ｂ    開口部
１０ｃ    筒部
１０ｄ    切欠き部
１０ｅ    窓
１０ｆ    縁部
１１      ビス
１３      下カバー
１４      キャップ
１６      ボルト
１７      スプライン筒材
１７ａ    スプライン孔
Ｓ１〜Ｓ４  間隔
Ｘ      偏心移動軌跡
【図１】
2018076713.tif 000003
【図２】
2018076713.tif 000004
【図３】
2018076713.tif 000005
【図４】
2018076713.tif 000006
【図５】
2018076713.tif 000007
【図６】
2018076713.tif 000008
【図７】
2018076713.tif 000009
【図８】
2018076713.tif 000010
【図９】
2018076713.tif 000011
【図１０】
2018076713.tif 000012
【図１１】
2018076713.tif 000013
【図１２】
2018076713.tif 000014
【図１３】
2018076713.tif 000015
【図１４】
2018076713.tif 000016